(57)【要約】【課題】  赤外成分を含む原稿照明ランプを用いる画像読取装置において、赤外光成分の除去を赤外カットフィルタを使用することなく実現することにより、高品質な画像読取が可能な画像読取装置とその制御方法を提供する。【解決手段】  原稿画像を赤外波長成分を含むランプで照明し、原稿画像の反射光を受光して光電変換して画像データを出力する画像読取装置で、原稿画像の反射光から赤外波長成分を含む可視波長成分を検出する複数の可視成分イメージセンサと、原稿画像の反射光から赤外波長成分を検出する赤外成分イメージセンサと、可視成分イメージセンサからの赤外波長成分を含む可視波長成分から、赤外成分イメージセンサからの赤外波長成分を取り除く。又、前記赤外成分イメージセンサからの赤外波長成分を用いて、前記原稿画像中に含まれる赤外波長成分で形成された特徴画像を抽出する。【選択図】    図２
2007043427.tif 000002
【特許請求の範囲】
【請求項１】
原稿画像を赤外波長成分を含むランプで照明し、原稿画像からの反射光を受光して光電変換して画像データを出力する画像読取装置であって、
原稿画像の反射光から前記原稿画像に対応する画像信号を検出するためのラインイメージセンサが、前記原稿画像の反射光から赤外波長成分を含む可視波長成分を検出する複数のラインイメージセンサと、前記原稿画像の反射光から赤外波長成分を検出するラインイメージセンサとから成ることを特徴とする画像読取装置。
【請求項２】
原稿画像を赤外波長成分を含むランプで照明し、原稿画像の反射光を受光して光電変換して画像データを出力する画像読取装置であって、
原稿画像の反射光から赤外波長成分を含む可視波長成分を検出する複数の可視成分イメージセンサと、
前記原稿画像の反射光から赤外波長成分を検出する赤外成分イメージセンサと、
前記可視成分イメージセンサからの赤外波長成分を含む可視波長成分から、前記赤外成分イメージセンサからの赤外波長成分を取り除く赤外成分除去手段とを有することを特徴とする画像読取装置。
【請求項３】
前記赤外成分イメージセンサからの赤外波長成分を用いて、前記原稿画像中に含まれる赤外波長成分で形成された特徴画像を抽出する特徴画像抽出手段を更に有することを特徴とする請求項２に記載の画像読取装置。
【請求項４】
前記赤外成分イメージセンサは、前記反射光に含まれる可視波長成分を第１フィルタで除去した後、光電変換して赤外波長成分信号を出力するフォトダイオード群で構成されることを特徴とする請求項２に記載の画像読取装置。
【請求項５】
前記第１フィルタは、前記反射光に含まれる４００ｎｍ以上７８０ｎｍ未満の可視光領域の波長を吸収し、７８０ｎｍ以上１１００ｎｍ未満の赤外領域の波長を透過する特性を有することを特徴とする請求項４に記載の画像読取装置。
【請求項６】
前記可視成分イメージセンサは、前記反射光に含まれる可視波長成分の一部を第２フィルタで除去後、光電変換して前記２フィルタで除去されない可視波長成分と赤外波長成分とを含む複合信号を出力するフォトダイオード群で構成されることを特徴とする請求項２に記載の画像読取装置。
【請求項７】
前記第２フィルタは、反射光に含まれる赤、青または緑色のいずれか１つの可視光と、赤外光とを透過する特性を有することを特徴とする請求項６に記載の画像読取装置。
【請求項８】
前記赤外成分除去手段は、前記可視成分イメージセンサから出力される赤外波長成分信号と前記赤外成分イメージセンサから出力される赤外波長成分信号とに基づいて、赤外波長成分信号が一致するように波長成分を補正する補正係数を算出する補正係数算出手段を有することを特徴とする請求項２に記載の画像読取装置。
【請求項９】
前記特徴画像が検出された場合、前記読み取った画像の読み出しを禁止する読出禁止手段を更に有することを特徴とする請求項３に記載の画像読取装置。
【請求項１０】
前記原稿画像を照明するランプに対応して、可視波長成分の分光特性を設定する設定手段を更に有することを特徴とする請求項２に記載の画像読取装置。
【請求項１１】
前記設定手段により設定された分光特性を用いて、前記フォトダイオード群のゲイン調整を行うゲイン調整手段を更に有することを特徴とする請求項４又は６に記載の画像読取装置。
【請求項１２】
原稿画像を赤外波長成分を含むランプで照明し、原稿画像の反射光を受光して光電変換して画像データを出力する画像読取装置の制御方法であって、
原稿画像の反射光から赤外波長成分を含む可視波長成分を検出する複数の可視成分イメージセンサが検出した赤外波長成分を含む可視波長成分から、前記原稿画像の反射光から赤外波長成分を検出する赤外成分イメージセンサが検出した赤外波長成分を取り除く赤外成分除去工程と、
を有することを特徴とする画像読取装置の制御方法。
【請求項１３】
前記赤外成分イメージセンサからの赤外波長成分を用いて、前記原稿画像中に含まれる赤外波長成分で形成された特徴画像を抽出する特徴画像抽出工程を有することを特徴とする請求項１２に記載の画像読取装置の制御方法。
【請求項１４】
前記特徴画像が検出された場合、前記読み取った画像の読み出しを禁止する読出禁止工程と、
前記原稿画像を照明するランプに対応して、可視波長成分の分光特性を設定する設定工程と、
前記設定された分光特性を用いて、前記フォトダイオード群のゲイン調整を行うゲイン調整工程とを更に有することを特徴とする請求項１２に記載の画像読取装置の制御方法。
【発明の詳細な説明】
【技術分野】
【０００１】
本発明は画像読取装置およびその制御方法に関し、特に高画質と高機能を両立させる画像読取装置およびその制御方法に関する。
【背景技術】
【０００２】
従来、ラインイメージセンサを用いた画像読取装置として、デジタル複写機や、フィルムスキャナー、ファクシミリなどが知られている。
【０００３】
図８は、一般に知られる縮小光学型の画像読取装置３０００と、原稿を自動搬送するドキュメントフィーダー２０００（以下ＤＦ）の合体構成の一例を示すものであり、特にデジタル複写機の一般的な構成である。
【０００４】
同図構成において、原稿の画像読み取りは、ＤＦ２０００を用いた流し読みと、原稿ガラス３００１上に載置された原稿を移動走査しながら読み取るプラテン読みの２つの読み取り方式が提供される。
【０００５】
プラテン読みは、以下のように行う。まず、原稿ガラス３００１上に載置された原稿を、原稿照明ランプ３００４、第１の反射笠３０１３、第２の反射笠３０１４によって照明する。その照明による原稿反射光は第１ミラー３００５、第２ミラー３００６、第３ミラー３００７、光学レンズ３０１０を介して３ラインイメージセンサ３０１１上に結像する。そこで、プラテン読みは、光学モータ３０１２によって第１ミラー台３００８と第２ミラー台３００９が２：１の速度で矢印ＡもしくはＢ方向に走査されることで行われる。この際ＤＦ２０００の排紙トレイ２０１４は、原稿を押さえる圧板として機能する。読み取り画像は、基準白板３００２を用いたシェーディング補正によって校正され、光学レンズ３０１０の端部光量劣化や、３ラインイメージセンサ３０１１の感度ムラが補正され、出力される。
【０００６】
一方、流し読みは、以下のように行う。まず、流し読みガラス３０２０の下に第１ミラー台３００８を配置、固定し、原稿照明ランプ３００４を点灯する。次に、点灯した状態で、原稿トレイ２００２に載置された原稿を以下の順に搬送させて、原稿画像を読み取る。すなわち、原稿を給紙ローラー２００４、分離搬送ローラー２００５、レジストローラー２００７、リードローラー２００９、流し読みガラス３０２０、リード排出ローラー２０１１、排紙ローラー２０１３を通して搬送させる。なお、シェーディング補正などの動作はプラテン読みと同一である。
【０００７】
流し読みは、紙搬送性能が品質を大きく左右するため、ＤＦ２０００には搬送をサポートするための構成が複数設けられている。具体的には、給紙安定性確保のため原稿の幅方向を規制する幅方向規制板２００３、給紙束の分離を行う分離パッド２００６、搬送性を安定させるためのレジスト従動ローラ２００８、リード従動ローラー２０１０、リード排出従動ローラー２０１２である。
【０００８】
３ラインイメージセンサ３０１１は、ＲＧＢ３本のフォトダイオード列で構成されるもので、図９はその一般的な構造を示す図である。
【０００９】
同図においてＲＥＤ、ＧＲＥＥＮ、ＢＬＵＥのフィルタが塗布された３本のフォトダイオード３１００、３１０１、３１０２（以下、ＰＤと称す）には、それぞれ両側に蓄積電荷読み出し用のシフトゲート（以下ＳＨゲート）と、転送レジスタが配置されている。また、ＰＤ３１００、３１０１、３１０２には奇数画素、偶数画素がそれぞれ片側に振り分けられ出力される構造になっている。
【００１０】
ＳＨゲートは各色毎に単独（ＲＥＤのＰＤ３１００にはＳＨ１ゲート３１１０、ＧＲＥＥＮのＰＤ３１０１にはＳＨ２ゲート３１１１、ＢＬＵＥのＰＤ３１０２にはＳＨ３ゲート３１１２）で設けられ、独立した駆動が可能になっている。各転送レジスタ３１２０〜３１２５は転送期間において反転する２つの駆動パルスφ１、φ２によって共通で駆動され、図９では右側に電荷を水平転送するもので、各転送レジスタに接続された出力アンプ３１３０〜３１３５によって電圧変換され出力される。
【００１１】
各フォトダイオード（ＰＤ）は４ライン間隔で配置されているため、原稿の同一ラインを読み取るタイミングはＰＤ間で異なり、ＢＬＵＥとＧＲＥＥＮ間で４ライン、ＢＬＵＥとＲＥＤ間で８ラインの位相差を持つことになる。具体的には、プラテン読み取り時にはＲＥＤのＰＤ３１００からＢＬＵＥのＰＤ３１０２の方向に原稿が相対的に移動する。また流し読み時には原稿の搬送方向が逆になるため、３ラインセンサ上での相対的な原稿移動方向もプラテン読みと逆方向となる。
【００１２】
イメージセンサは一般的に赤外感度が高く、こうした画像読取装置において原稿照明ランプに赤外光成分を含む場合、人間の持つ視感度特性に対して見ることの出来ない光成分を読み取る。そのため適切な色再現を実現することが出来ないことが知られている。そこで、こうした赤外光成分を除去する手段として、光学的な赤外カットフィルタ（以下ＩＲカットフィルタ）を光路上に配置することが知られている（特許文献１）。しかし、その配置には極めて精密な位置精度、面精度、光学レンズとの特性補償などが必要である。
【００１３】
一方、赤外光成分を積極的に使用する提案もなされている（特許文献２）。例えば、証明書類に設けられた赤外光に反応する特定パターンを読み取るため、赤外光センサを加えた４ラインイメージセンサが提案されている。
【特許文献１】特開２０００−１２５０７５号公報（段落［０００２］〜［０００４］および図１）
【特許文献２】特開平１０−６５１３５号公報（段落［００３７］および図３）
【発明の開示】
【発明が解決しようとする課題】
【００１４】
上記説明したように、赤外光を含む原稿照明ランプを用いる画像読取装置の品質向上のためには、赤外光成分を如何に除去するかが重要である。
【００１５】
上記特許文献１では、赤外カットフィルタをラインセンサのカバーガラス、特にカラーセンサの場合には、ＲＥＤのフォトーダイオードに対応する位置にのみ赤外カットフィルタを形成する提案がなされている。しかしながら、特許文献１では、画素サイズの微細化による多画素化、ライン間隔の極小化を進めた場合には、カバーガラスとＲＥＤフォトダイオードの位置精度を維持しつつ組み立てを行うことは非常に困難である。
【００１６】
本発明は、上記説明した従来技術の問題点を解決することを出発点としてなされたものである。その目的は、赤外成分を含む原稿照明ランプを用いる画像読取装置において、赤外光成分の除去をイメージセンサへの赤外カットフィルタを使用することなく実現することにより、高品質な画像読取が可能な画像読取装置とその制御方法を提供することにある。
【００１７】
又、上記特許文献２のように、赤外光を積極的に利用するためのイメージセンサが提案されており、読み取り装置における赤外光成分には、除去して品質を向上させる、新機能のための有効利用、の相反する要求がある。
【００１８】
本発明は、更に、赤外光成分の除去に加えて赤外光成分による情報の読み取りを実現することにより、高品質で高機能な画像読取が可能な画像読取装置とその制御方法を提供することにある。
【課題を解決するための手段】
【００１９】
上記目的を達成するための本発明の画像読取装置は、以下の構成を有する。すなわち、原稿画像を赤外波長成分を含むランプで照明し、原稿画像からの反射光を受光して光電変換して画像データを出力する画像読取装置であって、原稿画像の反射光から前記原稿画像に対応する画像信号を検出するためのラインイメージセンサが、前記原稿画像の反射光から赤外波長成分を含む可視波長成分を検出する複数のラインイメージセンサと、前記原稿画像の反射光から赤外波長成分を検出するラインイメージセンサとから成ることを特徴とする。
【００２０】
又、原稿画像を赤外波長成分を含むランプで照明し、原稿画像の反射光を受光して光電変換して画像データを出力する画像読取装置であって、原稿画像の反射光から赤外波長成分を含む可視波長成分を検出する複数の可視成分イメージセンサと、前記原稿画像の反射光から赤外波長成分を検出する赤外成分イメージセンサと、前記可視成分イメージセンサからの赤外波長成分を含む可視波長成分から、前記赤外成分イメージセンサからの赤外波長成分を取り除く赤外成分除去手段とを有することを特徴とする。ここで、前記赤外成分イメージセンサからの赤外波長成分を用いて、前記原稿画像中に含まれる赤外波長成分で形成された特徴画像を抽出する特徴画像抽出手段を更に有する。又、前記特徴画像が検出された場合、前記読み取った画像の読み出しを禁止する読出禁止手段を更に有する。また、前記原稿画像を照明するランプに対応して、可視波長成分の分光特性を設定する設定手段を更に有する。また、前記設定手段により設定された分光特性を用いて、前記フォトダイオード群のゲイン調整を行うゲイン調整手段を更に有する。
【００２１】
又、本発明の画像読取装置の制御方法は、以下の構成を有する。すなわち、原稿画像を赤外波長成分を含むランプで照明し、原稿画像の反射光を受光して光電変換して画像データを出力する画像読取装置の制御方法であって、原稿画像の反射光から赤外波長成分を含む可視波長成分を検出する複数の可視成分イメージセンサが検出した赤外波長成分を含む可視波長成分から、前記原稿画像の反射光から赤外波長成分を検出する赤外成分イメージセンサが検出した赤外波長成分を取り除く赤外成分除去工程を有することを特徴とする。又、前記赤外成分イメージセンサからの赤外波長成分を用いて、前記原稿画像中に含まれる赤外波長成分で形成された特徴画像を抽出する特徴画像抽出工程とを有する。ここで、前記特徴画像が検出された場合、前記読み取った画像の読み出しを禁止する読出禁止工程と、前記原稿画像を照明するランプに対応して、可視波長成分の分光特性を設定する設定工程と、前記設定された分光特性を用いて、前記フォトダイオード群のゲイン調整を行うゲイン調整工程とを更に有する。
【発明の効果】
【００２２】
本発明によれば、赤外成分を含む原稿照明ランプを用いる画像読取装置において、赤外光成分の除去をイメージセンサへの赤外カットフィルタを使用することなく実現することにより、高品質な画像読取が可能となる。
【００２３】
更に、赤外光成分の除去に加えて赤外光成分による情報の読み取りを実現することにより、高品質で高機能な画像読取が可能となる。
【発明を実施するための最良の形態】
【００２４】
［本発明の特徴］
本発明の画像読取装置は、赤外波長成分を含む原稿照明ランプと赤外光成分を検出するイメージセンサを用いる。すなわち、下記の構成を用いた処理により、赤外波長成分による画質劣化を低減する。更に、原稿画像から赤外成分のみで形成される特徴画像を検知するという相反する要求を可能にする。
【００２５】
(1)黒フィルタ付きフォトダイオードを用いて黒フィルタで可視光を除去して光電変換して赤外光成分信号のみ出力する。(2)赤、青または緑フィルタ付きフォトダイオードを用いて、赤、青または緑フィルタで赤外光と赤色、赤外光と青色、または赤外光と緑色を透過後、光電変換して、赤外光と赤色、赤外光と青色、または赤外光と緑色成分のみの信号を出力する。(3)黒フィルタ付きフォトダイオードの出力信号（赤外光成分信号）を用いて、赤外光と赤色を含む信号、赤外光と青色を含む信号、または赤外光と緑色を含む信号から赤外光成分を除去して赤外波長成分による画質劣化を低減する。(4)原稿画像に含まれる赤外光成分信号のみで構成される特徴画像を、黒フィルタ付きフォトダイオードで読み取って識別する。
【００２６】
尚、赤外光成分を検出するイメージセンサは、上記構成に限定されない。
【００２７】
＜本実施形態の画像読取装置の構成例＞
以下、図面を参照しながら、本発明に係る画像読取装置の一実施形態の詳細について説明する。
【００２８】
（４ラインセンサ：図１）
図１は、本実施形態の画像読取装置１０００に搭載される４ラインセンサ１００の構造図である。
【００２９】
４ラインセンサ１００は、図９で説明した３ラインセンサ３０１１に赤外光成分を検出する４本目のラインセンサを加えたものである。本例では、赤外光成分を検出するラインセンサとして、黒フィルタを搭載したＰＤである。図１において、図９と同一構成には同一番号を付し、その説明は重複するので省略する。
【００３０】
ＢＬＡＣＫのＰＤ１０１には、赤外光に感度を持つ黒フィルタが塗布されている。黒フィルタはＲＥＤ、ＧＲＥＥＮ、ＢＬＵＥ３色の合成にて実現される。また、ＲＥＤとＢＬＵＥ２色の合成でも可能である。ＢＬＡＣＫのＰＤ１０１の蓄積電荷は両側に配置されたＳＨ４ゲート１１０によって読み出される。続いて、それぞれＳＨ４ゲート１１０の外側に配置された転送レジスタ１２０、１２１によって水平転送され、出力アンプ１３０、１３１によって電圧変換され出力される。
【００３１】
本実施形態の画像読取装置１０００は、図８の従来の画像読取装置３０００の構成と類似するので、その図および共通する構成の説明は重複するので省略し、異なる点についてのみ以下説明する。４ラインセンサ１００は、図８に示した画像読取装置３０００に搭載される３ラインセンサ３０１１の代わりに第１の実施形態の画像読取装置１０００搭載される。流し読み時にはＢＬＡＣＫのＰＤ１０１からＲＥＤのＰＤ３１００方向に、プラテン読み時には流し読み時の反対方向に原稿が搬送される。原稿照明ランプ３００４には赤外光を含む白色キセノン管が用いられる。
【００３２】
（画像処理の構成を示すブロック図：図２）
（ＡＤ変換回路２０１）
図２は、４ラインセンサ１００に接続される画像処理の構成を示すブロック図である。
【００３３】
４ラインセンサから出力されたＲ、Ｇ、Ｂ、ＢＫ信号はＡＤ変換回路２０１で所定レベルにゲイン調整された後デジタルデータに変換される。ゲイン調整は、Ｒ、Ｇ、Ｂ信号とＢＫ信号でターゲット（ゲインターゲットレベル）が異なり、Ｒ、Ｇ、Ｂ信号のターゲットは、Target(ＲＧＢ)、ＢＫ信号のターゲットは、Target(ＢＫ)である。これはＢＫ信号が赤外光成分にのみ感度を持っているため、他の３色について出力信号のレベルが小さくなるため、ゲイン調整のダイナミックレンジを越える場合があるからである。ただし、上記のゲインターゲットレベルは一例であり、当然２つのターゲットを同じに設定してもよく、ゲイン調整ダイナミックレンジに対して適宜設定されればよい。なお、ＡＤ変換器２０１は１０ビットで構成されている。
【００３４】
（ライン間補正回路２０２）
ＡＤ変換後のＲｄ、Ｇｄ、Ｂｄ、ＢＫｄ信号データは、ライン間補正回路２０２に入力され、読み取りモードに応じたライン間隔の補正が行われる。ライン間補正回路２０２はＦＩＦＯ及びＬＩＦＯ構成のメモリで、制御部からのＭＯＤＥ信号によって、補正方向を切り替える構成になっている。具体的にはＭＯＤＥ信号がＬｏレベルでプラテン読み動作となり、ＢＫｄ信号を基準にＲｄ信号を１２ライン、Ｇｄ信号を８ライン、Ｂｄ信号を４ライン遅延させる。また、ＭＯＤＥ信号がＨｉレベルで流し読み動作となり、このモードではＲｄ信号を基準にＢＫd信号を１２ライン、Ｂｄ信号を８ライン、Ｇｄ信号を４ライン遅延させる。同時にＬＩＦＯメモリを使って鏡像処理が行われ、正像として出力される。
【００３５】
（赤外補償回路２０３）
ライン間補正回路２０３から出力されるＲＩ、ＧＩ、ＢＩ、ＢＫｌ信号は、赤外補償回路２０３に入力され、赤外補償演算が行われ、Ｒir、Ｇir、Ｂir、ＢＫir信号として出力される。赤外補償演算回路２０３には制御部２５０より、赤外補償係数Ｋirc_Ｒ、Ｋirc_Ｇ、Ｋirc_Ｂと、補償動作のＯＮ／ＯＦＦ制御を行うＩＲＣ信号と、出力信号を切り替えるＳＷ＜１:０＞が入力されている。ＩＲＣ信号はＬｏレベルで補正ＯＦＦ、Ｈｉレベルで補正ＯＮとなるように動作する。またＳＷ＜１:０＞は、図３のように出力信号を切り替えるように動作する。赤外補償動作の詳細については後述する。
【００３６】
（シェーディング補正回路２０４）
赤外補償回路２０３出力Ｒir、Ｇir、Ｂir、ＢＫirは次にシェーディング補正回路２０４にてシェーディング補正が行われる。ここでは原稿照明ランプ３００４がＯＦＦの時を黒基準、基準白板３００２読み取り信号を白基準としてＲir、Ｇir、Ｂir、ＢＫirのシェーディング補正が画素単位で行われる。シェーディング補正回路２０４には入力信号毎に１６ビット構成の演算メモリと、８ビット構成の黒補正係数メモリと、１１ビット構成の白補正係数メモリが設けられている。演算メモリにはライン方向の加算機能と、平均機能、シェーディングターゲットKdatとの除算機能が設けられ、演算結果を黒補正係数メモリもしくは白補正係数メモリに書き込むことが可能な構成となっている。各メモリは４ラインセンサ１００の画素数以上の長さを持ち、制御部２５０からの読み書きも可能である。
【００３７】
（入力マスキング補正回路２０５）
シェーディング補正後のＲs、Ｇs、Ｂs信号は入力マスキング補正回路２０５に入力され、ＲＧＢ標準色空間への校正処理が行われる。校正のための係数はＲＧＢ信号への赤外補償の有無に対応して２つ設定されており、ＩＲＣ信号によって赤外補償回路２０３に連動して切り替えが行われる。
【００３８】
（像域分離回路２０６）
シェーディング補正後のＲs、Ｇs、Ｂs信号は同時に像域分離回路２０６に供給され、画像領域と文字領域の判別が行われ、像域分離回路２０６からは、その判定結果を示すＺ１フラグ信号が出力される。
【００３９】
（パターン認識部２０７）
シェーディング補正後の赤外信号Ｂｋｓは、パターン認識部２０７に供給され、赤外光成分で特徴付けされたパターン認識が行われる。パターン認識回路２０７が認識可能なパターンは、プログラム可能であり、読み取り画像を認識用の基準パターンとしたり、ユーザ操作画面よりイメージファイルを入力したり、ファームソフトウェアのバージョンアップによって変更したりすることが可能である。
【００４０】
（ＬＣＣ変換回路２０８）
入力マスキング補正後のＲm、Ｇm、Ｂm信号は、ＬＣＣ変換回路２０８で色差信号Ｃa、Ｃbと明度信号Ｌに変換され、無彩色判定回路２１３に入力される、と同時に色差信号は彩度検出回路２０９へ、明度信号はフィルタ回路２１０に入力される。
【００４１】
（彩度検出回路２０９、強調量補正回路２１１）
彩度検出回路２０９は特定の彩度抽出を行い（例えば赤）、彩度検出信号ｓを強調量補正回路２１１に出力するもので、出力された彩度検出信号ｓを基に強調量補正回路２１１では彩度強調を行う。この処理はユーザが任意の設定を行うことが可能で、好みに合わせた色調整を可能とする。
【００４２】
（フィルタ回路２１０）
フィルタ回路２１０は像域フラグＺ１に応じて明度信号にフィルタ処理を行うもので、具体的には画像部分にはモアレ除去と階調再現を重視したフィルタ処理、文字部分にはコントラストを重視したフィルタ処理を行うものである。
【００４３】
（ＬＣＣ逆変換回路２１２）
強調量補正後のＣay、Ｃby、Ｌy信号はＬＣＣ逆変換回路でＲＧＢ空間に再変換され、Ｒw、Ｇw、Ｂw信号としてＲＧＢ処理が完了し、ハードディスク２１５（以下ＨＤ）に保存される。ＨＤ２１５は符号化回路、復号化回路を含み、適宜符号化処理、復号化処理が行われる。
【００４４】
（無彩色判定回路２１３）
無彩色判定回路２１３は、色差信号Ｃa、Ｃbより画素単位で無彩色か有彩色かの判別を行う回路で、判定結果は無彩色フラグ信号：Ｚ２として出力され、カウンター２１４でカウントされ、その結果より原稿の白黒／カラー判別などが行われる。
【００４５】
（制御部２５０）
制御部２５０は、上記説明した各画像処理ブロックの制御や、４ラインセンサ１００の制御や、画像読取装置全体の動作シーケンス制御や、後述する赤外補償動作における各種パラメータの管理、保管を行う。制御部２５０は、通常、プラグラムによって動作するＣＰＵで構成される。以上が本発明が提案する画像読取装置の構成である。
【００４６】
＜本実施形態の画像読取装置の動作例＞
（赤外補償方法：図４）
上記説明した構成を有する本実施形態の画像読取装置１０００における赤外補償方法について、図４の動作フローを用いて説明を行う。この処理は、本画像読取装置のＣＰＵが不図示のＲＯＭに格納された制御プログラムに基づいて不図示のＲＡＭを作業領域に使用しながら各部を制御しながら実行するものである。
【００４７】
（ステップＳ１００）
まず、ステップＳ１００において、起動処理として原稿照明ランプ３００４を点灯させ、基準白板３００２の読み取り信号でゲイン調整が行われる。ゲイン調整はＡＤ変換後のデジタルデータをシェーディング補正回路２０４のメモリーに取り込み、所定範囲の画素に相当するデータをメモリから読み出す。そして、その平均値がＲＧＢ信号データでTarget(ＲＧＢ）に、ＢＫ信号がTarget(ＢＫ）レベルになるようにＡＤ変換器のアナログゲインを調整する。ゲイン調整時にはＭＯＤＥ信号がＬｏレベル、ＩＲＣ信号がＬｏレベル、ＳＷ＜１:０＞信号が３（図３参照）に設定され、ライン間補正回路２０２はプラテン読み設定、赤外補償回路２０３はスルー設定の状態で行われる。
【００４８】
ゲイン調整値は色毎に異なり、調整結果のＲgain、Ｇgain、Ｂgain、ＢＫgainが制御部２５０に保管される。ゲイン調整値は線形の値で例えば４であれば、４倍のゲイン補正が行われたことを示す。ゲイン調整完了後、原稿照明ランプ３００４は消灯され、待機位置に移動する。
【００４９】
（ステップＳ１１０）
次に、ステップＳ１１０において、制御部２５０では赤外補正係数Ｋirc_Ｒ、Ｋirc_Ｇ、Ｋirc_Ｂの算出が行われる。制御部２５０には予め赤外補償基準係数Ｋir０_Ｒ、Ｋir０_Ｇ、Ｋir０_Ｂ、Ｋir０_ＢＫと、ゲインターゲットTarget(ＲＧＢ)、Target(ＢＫ）がバックアップされていて、この値を用いて赤外補償係数が算出される。バックアップされている赤外補償基準係数とゲインターゲットは、市場でのサービスにおいて変更可能な機能が提供されており、例えばランプ交換などにおいて利用される。バックアップ方法は例えばＥＥＰＲＯＭのような不揮発性メモリであったり、ハードディスクなどの大容量記憶メディアに保管される。
【００５０】
（赤外補償基準係数）
赤外補償基準係数は原稿照明ランプ３００４、４ラインセンサ１００、基準白板３００２それぞれの分光特性より算出される値で、４ラインセンサ１００の各読み取り信号において赤外領域成分の比率を表す基準値で、その算出方法について説明する。
【００５１】
図５Ａ〜図５Ｄに上記３デバイスの分光特性を示す。図５Ａは原稿照明ランプ３００４の分光発光特性Ｌ（λ）であり、図５Ｂは４ラインセンサ１００のＲ、Ｇ、Ｂ、ＢＫそれぞれの分光感度特性ＲＲ（λ）、ＲＧ（λ）、ＲＢ（λ）、ＲＢＫ（λ）である。図５Ｃは基準白板３００２の分光反射率特性Ｗ（λ）、図５Ｄは図５Ａ〜５Ｃで説明した各特性を掛け合わせた分光積分特性ＴＲ（λ）、ＴＧ（λ）、ＴＢ（λ）、ＴＢＫ（λ）である。各特性はそれぞれピークレベルで正規化された相対感度で表されている。
【００５２】
図５Ｂにおいて分光感度特性ＲＲ（λ）、ＲＧ（λ）、ＲＢ（λ）は７８０〜１１００nmの赤外領域での感度を持っていて、原稿照明ランプ３００４の分光発光強度特性Ｌ（λ）の赤外領域にはエネルギーをもっている。このため、４ラインセンサ１００のＲ、Ｇ、Ｂ出力には赤外光成分を含んでいることが分かる。また、分光感度特性ＲＢＫ（λ）では赤外領域にのみ感度を持っていることから、原稿照明ランプ３００４の赤外領域のエネルギーにのみ反応した出力信号を得ることができる。
【００５３】
赤外補償基準係数を算出するためには、ＴＲ（λ）、ＴＧ（λ）、ＴＢ（λ）、ＴＢＫ（λ）特性の全波長（４００〜１１００ｎｍ）積分値であるＴＲ_all、ＴＧ_all、ＴＢ_all、ＴＢＫ_allが必要である。また、赤外波長（７８０〜１１００ｎｍ）積分値であるＴＲ_ir、ＴＧ_ir、ＴＢ_ir、ＴＢＫ_iも必要であり、それぞれは、式（１）、式（２）より求められる。
【００５４】
全波長積分値：ＴＲ_all、ＴＧ_all、ＴＢ_all、ＴＢＫ_all
【００５５】
【数１】
2007043427.tif 000003
【００５６】
赤外波長積分値：ＴＲ_ir、ＴＧ_ir、ＴＢ_ir、ＴＢＫ_ir
【００５７】
【数２】
2007043427.tif 000004
【００５８】
赤外補償基準係数は、全波長積分値が１００で正規化された状態でのＢＫ信号の全波長積分値に対する、ＲＧＢ各信号の赤外波長積分値ＴＲ_ir、ＴＧ_ir、ＴＢ_ir、ＴＢＫ_irの比率であり、以下の式（３）にその計算式を示す。
【００５９】
赤外補償基準係数：Ｋir０_Ｒ、Ｋir０_Ｇ、Ｋir０_Ｂ
【００６０】
【数３】
2007043427.tif 000005
【００６１】
制御部２５０には、この赤外補償基準係数がシステムの固有値としてバックアップされている。赤外補償基準係数はＲ,Ｇ,Ｂ,ＢＫ各出力が１００で正規化されている場合の比率なので、ゲイン調整のターゲットに応じて補正される必要がある。２つのゲインターゲットTarget(ＲＧＢ)とTarget(ＢＫ）により式（４）による補正が行われ、赤外補償係数Ｋirc_Ｒ、Ｋirc_Ｇ、Kirc_Ｂが算出され保管される。
【００６２】
赤外補償係数：Ｋirc_Ｒ、Ｋirc_Ｇ、Kirc_Ｂ
【００６３】
【数４】
2007043427.tif 000006
【００６４】
上記演算は制御部２５０において行われ、算出結果は赤外補償回路２０３に設定される。
【００６５】
（ステップＳ１２０）
次に、ステップＳ１２０において、画像読取装置はこの状態で読み取り指示待機状態となる。読み取り指示は不図示の操作部よりユーザ入力によって行われ、読み取り指示が入力された時点で読み取り動作が開始される。ユーザからの読み取り指示は、不図示の操作部の実行ボタンをユーザが押下したときに受信される。
【００６６】
（ステップＳ１３０）
次に、ステップＳ１３０において、ユーザからの読み取り指示によって読み取り動作が開始される状態である。前述したように読み取りには流し読みとプラテン読みの２モードが提供されていて、その動作モードによって動作制御が異なるため、モード判別が行われる。原稿トレイ２００２に原稿が載置されている状態で読み取り開始が指示された場合には流し読みとなる。ＤＦ２０００の開閉、もしくは開いた状態から閉じた後に読み取り開始が指示された場合には、原稿ガラス３００１に原稿が載置されたと判断し、プラテン読みが選択される。なお、不図示の操作部において、プラテン読み、流し読みが直接選択されても良い。
【００６７】
（ステップＳ１４０）
ステップＳ１３０において、プラテン読みと選択、あるいは判断された場合には、ステップＳ１４０に進み、制御部２５０はＭＯＤＥ信号をＬｏレベルに設定し、ライン間補正回路２０２ではプラテン読み対応の遅延設定が行われる。
【００６８】
（ステップＳ１４５）
また、ステップＳ１３０において、流し読みと選択、あるいは判断された場合には、ステップＳ１４５に進み、制御部２５０はＭＯＤＥ信号をＨｉレベルに設定し、ライン間補正回路２０２ではプラテン読みとは逆の流し読み対応の遅延設定が行われる。同時に鏡像処理も行われる。ステップＳ１４０またはステップＳ１４５の読み取りモードであってもライン間補正回路２０２出力は正像出力となるように設定される。
【００６９】
（ステップＳ１５０）
次に、ステップＳ１５０に進み、読み取りモード設定後、原稿照明ランプ消灯状態のまま、黒シェーディング補正係数算出が行われる。ＡＤ変換回路２０１において、原稿照明ランプ消灯時の黒レベルは、暗ノイズ成分がデジタル変換時にクリップされて誤差を発生しないようにデジタル変換ダイナミックレンジの下限よりもやや高めに設定されている。赤外補償回路２０３はゲイン調整時のスルー設定が維持されたままで、シェーディング補正回路２０４には読み取りモードに応じた遅延処理が行われた暗時信号データが入力される。シェーディング補正回路２０４では、演算メモリを使って３２ライン分の加算が行われ、その後平均処理された結果が黒補正係数メモリに書き込まれる。
【００７０】
黒補正係数メモリに書き込まれた値は暗時のノイズレベルの平均値で、４ラインセンサ１００の暗電流ノイズパターンや、システムの持つ電気ノイズ（例えば電源ノイズなど）を表す。黒補正係数メモリへの書き込みによって、黒シェーディング補正係数算出動作は完了し、制御部２５０は動作完了を検知した後、シェーディング補正回路２０４に黒シェーディング実行を設定する。シェーディング補正回路２０４では入力信号Ｒir、Ｇir、Ｂir、ＢＫirに対して、それぞれの黒補正係数メモリから読み出された黒シェーディング補正係数を差し引く減算回路を有効にし、画素単位で黒シェーディング補正を実行する。
【００７１】
（ステップＳ１６０）
次に、ステップＳ１６０において、黒シェーディング補正が実行された後、原稿照明ランプ３００４を点灯させ、基準白板３００２を読み取り、白シェーディング補正係数の算出を行う。制御部２５０はＩＲＣ信号をＨｉレベル、ＳＷ＜１:０＞信号を０に設定し、赤外補償回路２０３では、ステップＳ１１０で設定された赤外補償係数Ｋirc_Ｒ、Ｋirc_Ｇ、Ｋirc_Ｂに従って赤外補償演算が行われ、出力信号には赤外補償演算後の信号が出力される。
【００７２】
赤外補償係数は基準白板３００２の読み取り信号におけるＢＫ信号とＲＧＢ信号に含まれる赤外領域成分の比率を表すものである。赤外補償回路２０３では入力されるＲＩ、ＧＩ、ＢＩ信号からＢＫｌ信号に赤外補償係数をそれぞれ掛けた信号を減算する演算が行われる。式（５）はその演算式で赤外補償演算を示すものである。
【００７３】
【数５】
2007043427.tif 000007
【００７４】
赤外補償演算後の信号Ｒir,Ｇir、Ｂirはシェーディング補正回路２０４に入力され、白シェーディング補正係数算出が行われる。シェーディング補正回路２０４では演算メモリを用いて３２ライン分の加算処理と平均処理が行われた後、シェーディングターゲットKdatを平均値で除算する処理が行われ、その除算結果が白係数メモリに保管され、白シェーディング係数算出が完了する。この段階では白シェーディング補正動作はＯＦＦのままである。
【００７５】
（ステップＳ１７０〜ステップＳ２１０）
次に、ステップＳ１７０において、読み取りモードの判断がもう一度行われ、読み取りモードに応じた動作制御に入る。プラテン読みモードの場合には、ステップＳ１８０に移行し、光学モータによってミラー台を走査スタート位置に移動させ、次に、ステップＳ１９０）で走査駆動を開始して原稿ガラス上の原稿読み取りを開始する。
【００７６】
一方、ステップＳ１７０において、流し読みモードの場合には、ステップＳ２００に移行し、流し読みガラスの下にミラー台を移動し、光学モータに対して所定の励磁電流を与え、その位置を固定、保持する。次に、ステップＳ２１０に移行し、原稿搬送を開始する。
【００７７】
（ステップＳ２２０）
次に、ステップＳ２２０において、両読み取りモードにおいて原稿の読み取りが行われる。この段階でシェーディング補正回路２０４の白シェーディング補正がＯＮされる。赤外補償係数は基準白板読み取りデータを基に算出される。図５ＤにおいてＴＲ(λ）、ＴＧ（λ）、ＴＢ（λ）、ＴＢＫ（λ）特性の赤外領域における感度特性はほぼ近似特性である。基準白板だけでなく一般原稿においてもＲ、Ｇ、Ｂ信号成分における赤外領域成分はＢＫ信号から補正され、適切な色再現が実現される。シェーディング補正回路２０４から出力されたＲs、Ｇs、Ｂs信号は入力マスキング回路２０５で色空間補正が行われる。
【００７８】
入力マスキング回路２０５にはＩＲＣ信号に連動して、２つの係数が選択されるように構成されている。ＩＲＣ信号がＨｉレベルで読み取りが行われるため、赤外補償信号用のマスキング係数が選択され色空間補正が行われる。入力マスキング回路２０５以降の処理は前述した処理が行われ、最終画像データＲw、Ｇw、ＢwはＨＤ２１５に保存される。ＨＤ２１５への保存形式はＪＰＥＧ圧縮データやＢＭＰ形式が適応的に選択される。必要に応じてその他の形式での保存も可能である。読み取り原稿の中には赤外光に反応する特殊インクで印刷された読み取り禁止マークが印刷されているものがある。このように読み取り禁止マークが印刷されている場合には、シェーディング補正回路２０４から出力されたＢＫｓ信号はパターン認識回路２０７に供給され、読み取り動作中、常に読み取り禁止パターンの認識処理が行われている。
【００７９】
（ステップＳ２３０〜ステップＳ２５０）
次に、ステップＳ２３０において、読み取り動作完了後、制御部２５０はパターン認識の結果判定を行う。パターン認識回路２０７において読み取り禁止パターンが検出された場合にはステップＳ２４０に移行し、ＨＤ２１５に保存された読み取り画像に対して出力禁止処理を行う。次にステップＳ２５０でユーザに対して警告メッセージを表示して読み取り動作を完了する。また、ステップＳ２３０において、読み取り禁止パターンが検出されなかった場合には、そのまま読み取り動作を完了する。
【００８０】
以上説明したように、本発明によれば、安価な赤外成分を含む原稿照明ランプと赤外感度の高いイメージセンサを用いる画像読取装置において、赤外光成分の読み取りと、赤外光成分の除去を両立させることができる。そのため、赤外線フィルタを用いることなく、より高品質な画像と高機能を提供することができる。すなわち、原稿照明ランプに含まれる赤外成分の補正をリアルタイムに行うことで色再現性を向上させて高品質な画像読み取りを提供することができる。また、画像読み取り動作を妨げることなく認証マーク検出（赤外成分のみで形成される特徴画像）を行うことによって機密文書や私的文書の保護といった新しい機能を同時に提供することが可能になる。
【００８１】
＜本実施形態の原稿照明ランプの初期公差と光量変動に対する補正例＞
以下、本実施形態における、原稿照明ランプの初期公差と、光量変動に対する補正方法について説明する。
【００８２】
本実施形態の画像読取装置２０００は、上記実施形態の画像読取装置１０００で説明した画像処理構成に加え、さらに赤外成分補正係数を原稿照明ランプの分光特性に応じて切り替える構成が付加されている。そのため、ランプのばらつき、変動に対し適切な赤外成分補正を実現することができる。そこで、本実施形態の画像読取装置２０００の説明では、上記実施形態の画像読取装置１０００と重複する構成の説明は省略し、以下異なる点についてのみ説明する。
【００８３】
（原稿照明ランプの分光発光強度特性のばらつき：図６）
図６は、原稿照明ランプの分光発光強度特性の４００〜５００ｎｍの波長成分のばらつきを示す図である。
【００８４】
図６において（ａ）、（ｂ）、（ｃ）は初期のばらつきによる特性差を表し、４００〜５００ｎｍ波長成分が（ａ）は最も多い上限特性、（ｂ）は中程度の標準特性、（ｃ）は最も少ない下限特性である。上記（ａ）、（ｂ）、（ｃ）の特性差は塗布される蛍光体の混合特性によって決まるものである。赤外領域の成分はキセノンガスの輝線成分であり、ばらつきによらず一定である。原稿照明ランプは上記（ａ）、（ｂ）、（ｃ）のランクで管理され、各ランプ個体にはランクを示すマーキングが施される。あるいは梱包時にランクを示す書類が同梱される。原稿照明ランプ３００４の分光特性ランクは制御部２５０にバックアップされ、製品出荷時には装置搭載ランプ３００４の分光特性ランクが書き込まれ、出荷される。市場でのランプ交換の際には、交換されるランプのランクデータに書き換えられ、バックアップされる環境が提供されている。
【００８５】
制御部２５０にはランプの分光特性ランクに対応した複数の全波長積分値ＴＲ_all、ＴＧ_all、ＴＢ_all、ＴＢＫ_allと、赤外積分値ＴＲ_ir、ＴＧ_ir、ＴＢ_ir、ＴＢＫ_irと、入力マスキング係数がテーブルで管理されている。これらは、バックアップされる各特性ランクに応じて適宜選択される。特性テーブルはプログラムとして、図示しないＲＯＭに書き込まれていても良いし、あるいはネットワーク回線を介してアップデートされる構成でも良い。入力マスキング係数は３次元のルックアップテーブルで容量が大きいため、ＨＤの制御情報領域に保管される。
【００８６】
全波長積分値と赤外積分値は、第１の実施形態で説明したものと同一であり、原稿照明ランプと基準白板と４ラインセンサの分光特性を掛け合わせた総合特性から算出される赤外補償の基準となるものである。上記説明したように市場での交換が行われた場合には、バックアップデータが書き換えられた時点で全波長積分値と赤外積分値と入力マスキング係数が適宜選択、変更される。例えば、出荷時には分光特性ランク（ａ）だった装置において、市場において分光特性ランク（ｃ）のランプに交換された場合の処理は、以下のようにする。すなわち、図示しない操作部より、分光特性ランクが書き換えられ、制御部２５０は変更されたランクに応じて全波長積分値と赤外積分値と入力マスキング係数を変更する。
【００８７】
赤外補償係数の算出は、出荷あるいはランプ交換が行われた場合に行われる基準データ算出と、通常の起動時に行われる実動作係数算出の２つの段階がある。基準データ算出は前述した原稿照明ランプ３００４の分光特性ランクに対応して行われる処理で、原稿照明ランプ３００４の交換に連動して行われる処理である。具体的には装置の出荷、原稿照明ランプ３００４、４ラインセンサ１００、基準白板３００２のいずれか一つ、あるいは複数が交換された場合に行われる。実動作係数算出は装置を使用していくなかでの変動を補正するためのもので、例えば耐久による原稿照明ランプ３００４の光量変動などによる影響を補正するための処理である。
【００８８】
（赤外補償係数の基準データ算出方法：図７）
上記説明した構成を有する本実施形態の画像読取装置２０００における赤外補償係数の基準データ算出方法について、図７のフローチャートを用いて説明を行う。この処理は、本画像読取装置のＣＰＵが不図示のＲＯＭに格納された制御プログラムに基づいて不図示のＲＡＭを作業領域に使用しながら各部を制御しながら実行するものである。
【００８９】
まず、ステップＳ３００では、図示しない操作部より原稿照明ランプ３００４の分光特性ランクの設定を受信する。設定はユーザあるいはサービスマンあるいは工場の作業員などによって行われる。
【００９０】
次に、ステップＳ３０５では、バックアップされた原稿照明ランプ３００４の分光特性ランクに応じて、予めＲＯＭなどに保管されている全波長積分値ＴＲ_all、ＴＧ_all、ＴＢ_all、ＴＢＫ_allと、赤外積分値ＴＲ_ir、ＴＧ_ir、ＴＢ_ir、ＴＢＫ_irが読み出される。
【００９１】
次に、ステップＳ３１０では、ゲイン調整が行われ、その調整値は基準となるゲイン調整値Rgain０、Ggain０、Bgain０、ＢＫgain０として制御部２５０にバックアップされる。ゲイン調整方法については第１の実施形態で説明したのと同じであるのでここでの説明は省略する。
【００９２】
次に、ステップＳ３２０では、全波長積分値ＴＲ_all、ＴＧ_all、ＴＢ_all、ＴＢＫ_allと、赤外積分値ＴＲ_ir、ＴＧ_ir、ＴＢ_ir、ＴＢＫ_irより、赤外補償基準係数Ｋir０_Ｒ、Ｋir０_Ｇ、Ｋir０_Ｂが算出され制御部２５０にバックアップされる。算出方法は第１の実施形態の式（３）と同じであるのでここでの説明は省略する。実動作においては、第１の実施形態の図４で説明した動作フローで読み取り動作が行われる。
【００９３】
原稿照明ランプ３００４の光量の変動は主に蛍光体の劣化によるもので、その変動は分光特性において可視光領域の変動である。従って、起動時に行われるゲイン調整の調整値と基準ゲイン調整値との差分がその変動を表し、赤外補償係数算出時にゲイン調整値の変化を加味することで、光量変動に対しても適切な赤外補償係数を算出することができる。（式６）に赤外補償係数の算出方法を示す。赤外補償基準係数にゲインターゲットによる補正を行い、さらに基準ゲイン値と調整ゲイン値との比率を掛け合わせることで原稿照明ランプ３００４の初期交差と、実使用における光量変動を加味した赤外補償係数が算出される。その結果、画像読み取りにおいては常に適正な赤外補償演算が行われ、ランプのばらつき、耐久による変動に対しても高画質を維持することが可能になる。
【００９４】
【数６】
2007043427.tif 000008
【００９５】
以上説明した動作によって、ランプの組み合わせに対して適切な赤外補償係数が選択され、赤外補償によって色再現性の良好な読み取りが行われる。また、初期基準に対してゲイン調整毎の信号比率を寿命基準比率と比較することで、ランプの耐久寿命を予測し、耐久による品質劣化に対して適切な交換指示を行うことができる。その結果、ユーザに常に高品質の読み取り装置を提供することができる。また、上記説明では原稿照明ランプのばらつきを一例として説明を行ったが、４ラインセンサや基準白板のばらつきがある場合にも適用できる。この場合には、各ばらつきの組み合わせに対する係数テーブルを作成し、各ばらつきを示すランク設定に応じて上記処理を行えば、さらに高品質な画像読取装置を提供することも可能である。
【００９６】
以上説明したように、本発明によれば、安価な赤外成分を含む原稿照明ランプと赤外感度の高いイメージセンサを用いる画像読取装置において、赤外光成分の読み取りと、赤外光成分の除去を両立させることができる。そのため、赤外線フィルタを用いることなく、より高品質な画像と高機能を提供することができる。また、赤外線フィルタを用いることなく、ランプの種類、光量に関わらず常に安定した赤外補正を行うことを可能にし、その結果として高品質な画像を提供できる画像読取装置を実現できる。
【００９７】
また、赤外光成分信号を読み取りに同期して処理することを可能にし、読み取り生産性を落とすことなく状態判別機能を装置に与えることができる。
【００９８】
尚、本発明の目的は、前述した実施形態の機能を実現するソフトウェアのプログラムコードを記録した記録媒体（または記憶媒体）でも達成できる。この場合、記録媒体をシステムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【００９９】
また、コンピュータが読み出したプログラムコードを実行することにより、前述した実施形態の機能が実現される。また、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１００】
さらに、記録媒体から読み出されたプログラムコードは、コンピュータに挿入された機能拡張カードやコンピュータに接続された機能拡張ユニットに備わるメモリに書込まれる。そこで、書込まれたプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１０１】
又、自装置にセットされたＣＤ−ＲＯＭ、或いは、インターネット等の外部供給源から、前述した実施形態の機能を実現する為のプログラムデータを、自装置のメモリにダウンロードし、前述した実施形態の機能が実現されるような形態も本発明に包含される。
【０１０２】
本発明を上記記録媒体に適用する場合、その記録媒体には、先に説明したフローチャートに対応するプログラムコードが格納されることが好ましい。
【０１０３】
本発明によれば、安価な赤外成分を含む原稿照明ランプと赤外感度の高いイメージセンサを用いる画像読取装置において、赤外光成分の読み取りと、赤外光成分の除去を両立させることにより、より高品質な画像と高機能を提供することができる。
【０１０４】
本発明により、赤外線フィルタを用いることなく、ランプの種類、光量に関わらず常に安定した赤外補正を行うことを可能にし、その結果として高品質な画像を提供できる画像読取装置を実現できる。
【０１０５】
また、赤外光成分信号を読み取りに同期して処理することを可能にし、読み取り生産性を落とすことなく状態判別機能を装置に与えることができる。
【図面の簡単な説明】
【０１０６】
【図１】本実施形態の画像読取装置に搭載する４ラインセンサ１００の構造を説明する図である。
【図２】本実施形態の画像読取装置の画像処理を説明するブロック図である。
【図３】出力信号を切り替えるＳＷ＜１:０＞信号の内容を説明する図である。
【図４】本実施形態の画像読取装置の赤外補償方法の動作を説明するフローチャートである。
【図５Ａ】原稿照明ランプの分光発光特性を説明する図である。
【図５Ｂ】４ラインセンサのＲ、Ｇ、Ｂ、ＢＫの分光感度特性を説明する図である。
【図５Ｃ】基準白板の分光反射率特性を説明する図である。
【図５Ｄ】分光積分特性を説明する図である。
【図６】本実施形態の画像読取装置における原稿照明ランプの分光特性ばらつきを説明する図である。
【図７】本実施形態の画像読取装置における赤外補償基準係数を算出ためのフローチャートである。
【図８】従来の画像読取装置の一例を示す図である。
【図９】従来のＣＣＤラインセンサの構造を説明する図である。
【符号の説明】
【０１０７】
１００・・・ＣＣＤ４ラインセンサ
１０１・・・黒フィルタ付きＢＫのフォトダイオード（ＰＤ）
１１０・・・ＳＨ４ゲート
１２０、１２１・・・転送レジスタ
１３０、１３１・・・出力アンプ
３０１・・・４入力シェーディング補正回路
３０２・・・４入力ライン間補正回路
３０３・・・赤外線補償回路
２０００...ドキュメントフィーダー（ＤＦ）
２００２...原稿トレイ
２００３...幅方向規制板
２００４...給紙ローラー
２００５...分離搬送ローラー
２００６...分離パッド
２００７...レジストローラ
２００８...レジスト従動ローラー
２００９...リードローラー
２０１０...リード従動ローラー
２０１１...リード排出ローラー
２０１２...リード排出従動ローラー
２０１３...排紙ローラー
２０１４...排紙トレイ
３００１・・・原稿ガラス
３００２・・・基準白板
３００３・・・原稿圧板
３００４・・・原稿照明ランプ
３００５・・・第１ミラー
３００６・・・第２ミラー
３００７・・・第３ミラー
３００８・・・第１ミラー台
３００９・・・第２ミラー台
３０１０・・・光学レンズ
３０１１・・・３ラインイメージセンサ
３０１２・・・光学モータ
３０１３・・・第１の反射笠
３０１４・・・第２の反射笠
３０２０...流し読みガラス
３１００...ＲＥＤフィルタ付きＲＥＤ用フォトダイオード
３１０１...ＧＲＥＥＮフィルタ付きＧＲＥＥＮ用フォトダイオード
３１０２...ＢＬＵＥフィルタ付きＢＬＵＥ用フォトダイオード
３１１０...ＳＨ１ゲート
３１１１...ＳＨ２ゲート
３１１２...ＳＨ３ゲート
３１２０...ＲＥＤ先行画素の転送レジスタ
３１２１...ＲＥＤ後行画素の転送レジスタ
３１２２...ＧＲＥＥＮ先行画素の転送レジスタ
３１２３...ＧＲＥＥＮ後行画素の転送レジスタ
３１２４...ＢＬＵＥ先行画素の転送レジスタ
３１２５...ＢＬＵＥ後行画素の転送レジスタ
３１３０...ＲＥＤ先行画素出力アンプ
３１３１...ＲＥＤ後行画素出力アンプ
３１３２...ＧＲＥＥＮ先行画素出力アンプ
３１３３...ＧＲＥＥＮ後行画素出力アンプ
３１３４...ＢＬＵＥ先行画素出力アンプ
３１３５...ＢＬＵＥ後行画素出力アンプ
【図１】
2007043427.tif 000009
【図２】
2007043427.tif 000010
【図３】
2007043427.tif 000011
【図４】
2007043427.tif 000012
【図５Ａ】
2007043427.tif 000013
【図５Ｂ】
2007043427.tif 000014
【図５Ｃ】
2007043427.tif 000015
【図５Ｄ】
2007043427.tif 000016
【図６】
2007043427.tif 000017
【図７】
2007043427.tif 000018
【図８】
2007043427.tif 000019
【図９】
2007043427.tif 000020